(57)【要約】【課題】従来の閉塞栓はセパレータに取り付けにくく、且つ、防水や反射効果は低いので、取り付けを容易にするとともに、効果的な防水と反射効果を得られる閉塞栓を提供する。【解決手段】止承具跡穴１３の大径部と同じ径で、且つ、薄く形成される蓋板２の背面に、内部に嵌合溝３を設けた軸筒５に、外周に前記嵌合溝３に嵌る嵌合突部６を設け、且つ、内部に複数枚の逆止片７を形成した係合筒８を組み合わせた閉塞栓本体９を形成し、その閉塞栓本体９の係合筒８に防水性キャップ１１を組み合わせて成るコンクリート構築物用の閉塞栓１とする。【選択図】図１
0003130632.tif 000002
【実用新案登録請求の範囲】
【請求項１】
コンクリート構築物の支承具跡穴を塞ぐ栓であって、前記止承具跡穴の大径部と同じ径で、且つ、薄く形成される蓋板と、その背面に、内部に嵌合溝を有する軸筒を一体形成した前記軸筒に、外周に前記軸筒の嵌合溝に合う嵌合突部を設け、且つ、内部に内側向きの逆止片を形成した係合筒を強く嵌め込んで成る合成樹脂製のコンクリート構築物用閉塞栓。
【請求項２】
前記する閉塞栓の係合筒に、底にセパレータ穴を設けた防水性キャップを組み合わせて成る請求項１に記載するコンクリート構築物用閉塞栓。
【請求項３】
前記する閉塞栓の蓋板面に、半球状の立体反射部材を取り付けて成る請求項１又は請求項２に記載するコンクリート構築物用閉塞栓。
【考案の詳細な説明】
【技術分野】
【０００１】  本考案は、コンクリート構築物の壁面に残る支承具跡穴を塞ぐ閉塞栓の取り付けを容易とし、且つ、防水機能と反射効果も得られる閉塞栓に関する。
【背景技術】  従来、コンクリート構築物には、壁面に等間隔に支承具跡穴が形成されるので、その穴を塞ぐための栓して、防水効果や反射効果を有するコーン状の様々な栓がある。【０００２】  具体的には、断面が逆台形状を成す円錐状又はコーン状に形成した閉塞栓本体の大径側の表面に反射部材を取り付けたものがある。（例えば、特許文献１参照）【０００３】  また、モルタル成型される閉塞栓の外端部に、反射発光部材を取り付けた技術がある。（例えば、特許文献２参照）【０００４】
【特許文献１】実用思案公開平１−９０９３６公報
【特許文献２】実用新案登録３０８０３９２号公報
【考案の開示】
【考案が解決しようとする課題】
【０００５】  上記するような閉塞栓があり、それぞれ一定の効果はある。しかし実際の施工面においては、以下のような不便や欠点があった。まず、実用新案公開平１−９０９３６公報における技術は、コーン状に形成した閉塞栓の径大側面に反射部材を取り付けているが、この反射部材は平板であるため、正面からの光は反射するが斜め方向からの光は反射しにくく、且つ、反射発光を視認できるのは正面側からはよいが、斜め方向からは反射発光を視認することができない。また支承具跡のセパレータに取り付ける手段は接着剤であるので防水効果も低く、取り付ける際に慣れない者は手間が掛って作業効率も低いなどの欠点や不便がある。【０００６】  次に、実用新案登録３０８０３９２号公報による技術は本出願人によるものであり、構築物の外側に位置する正面は反射発光する機能を有するが、反射部材が平板状であるので斜め方向からの光は反射しにくく視認度も低い。また、閉塞栓を支承具跡穴に位置するセパレータに取り付ける手段が接着剤で取り付けるので作業性が悪いうえ、効果的な防水手段を備えていなかった。
【課題を解決するための手段】
【０００７】  本考案は、上記するような従来の閉塞栓がもつ不便や欠点を解消するために、請求項１においては、止承具跡穴の大径部と同じ径で、且つ、薄く形成される蓋板の背面に、内部に嵌合溝を設けた軸筒を形成し、その軸筒に、外周に前記軸筒の嵌合溝に合う嵌合突部を有し、且つ、内部に複数枚の逆止片を形成した係合筒を強く嵌め込んで成る構成にすることで、取り付けを容易にして作業性がよいコンクリート構築物用閉塞栓とする。【０００８】  請求項２においては、前記する閉塞栓の係合筒に、底に通し穴を設けた防水性キャップを組み合わせることで、防水機能を有するものとする。【０００９】  請求項３においては、前記する閉塞栓の蓋板面に半球状の立体反射部材を取り付けることで、あらゆる方向からの光を反射しやすく、且つ、発光視認も容易な閉塞栓とする。
【考案の効果】
【００１０】  本考案による閉塞栓は、閉塞栓の係合筒内に逆止片を設けた構成であるので、支承具跡のセパレータに取り付ける際は押し込むだけで簡単確実に取り付けられるため、慣れない者でもきわめて作業スピードは早く行える。【００１１】  また、閉塞栓の軸筒と一体形成された蓋板は軟質樹脂素材であるとともに、蓋板はきわめて薄く、且つ、支承具跡穴の大径側と同じか僅かに大きいので、強く閉塞栓を押し込むと、前記の逆止片の係合とともに、蓋板の周囲は少し反るようにして支承具跡穴の壁にきつく嵌って固定される。【００１２】  さらに、閉塞栓の係合筒には、合成ゴム素材や軟質合成樹脂素材による防水性キャップを備えているとともに、セパレータ穴は一回り小さく、且つ、一定の空隙部を形成する防水性キャップであるため、セパレータに強く押し込むにつれ前記のセパレータ接触周部は密着するうえ、防水性キャップ下部は支承具跡穴の底面に強く押し付けられるように固定して密着できる、取り付け容易にして防水効果も高い閉塞栓となる。【００１３】  加えて、この閉塞栓の大径側面に反射部材を設けたタイプは反射部材が半球状であるので、どの方向からの光も効果的に反射できるとともに、所定の高さを成すことで反射発光の視認もしやすい、防水性と反射発光の複合効果を有する閉塞栓となるなど、従来には見られない機能的にして効果的な閉塞栓を提供する。
【考案を実施するための最良の形態】
【００１４】  本考案による閉塞栓の第１の実施形態を、図１に示す分解斜視図と図２に示す閉塞栓のＡ−Ａ線拡大断面図、図３に示す閉塞栓の施工状態の参考図で説明する。
本考案による閉塞栓１は、本体はＡＢＣ樹脂又はナイロン樹脂などの軟質合成樹脂素材により形成されるものとし、まず、コンクリート構築物壁面に残る支承具跡のコーン状の穴の大径側の径と同じかもしくは僅かに大きく、且つ、厚さを薄く形成した蓋板２の裏面に、内側に嵌合溝３を設け、周囲に４本の支持突起４を有する軸筒５を前記蓋板２と一体形成し、その軸筒５に、周囲上部に前記軸筒５の嵌合溝３に嵌る嵌合突部６を設けるとともに、内側の下端から上向きに６枚の逆止片７，７を形成した係合筒８を強く嵌め込んで成る閉塞栓本体９を形成する。【００１５】  さらに、その閉塞栓本体９の前記係合筒８に、合成ゴムや軟質合成樹脂素材により、底面にセパレータ穴１０を設けた防水性キャップ１１を前記係合筒８に取り付けた閉塞栓１を構成する。尚、前記のセパレータ穴１０は、支承具跡穴１３に位置するセパレータ１２の径より一回り細く形成するものとする。【００１６】  第１の実施形態に示す閉塞栓本体９は、軟質合成樹脂素材で形成されているので、軸筒５に係合筒８を組み合わせると嵌合溝３と嵌合突部６により強固に組み合わされて合成樹脂素材のみによる閉塞栓本体９を形成する。加えて、係合筒８の内部には内側向きの逆止片７，７が複数枚形成されているので、セパレータ１２に強く押し込むとネジ部に逆止片７の爪が係合して確りと固定されて緩むことはない。【００１７】  さらに係合筒８の防水性キャップ１１は、図２のように下部が一定の隙間をもって組み合わされているが、前記のようにセパレータ１２に押し込むにつれ図３のように防水性キャップ１１の下部周囲が膨らみながら縮むので、支承具跡穴１３の底部及びセパレータ１２周囲は密着して防水効果を得る。【００１８】  加えて、前記蓋板２は、支承具跡穴１３の大径側の径と同じか僅かに大きく、且つ、薄いので、最後に蓋板２を強く押し込むと、図３に示すように蓋板２端周部は支承具跡穴１３の壁に沿って反り返るように圧着固定されるので隙間を作らず、正面から見た際はあたかもモルタル仕上げしたかの様にきれいに塞げる閉塞栓１となる。【００１９】  本考案による閉塞栓の第２の実施形態を図４に示す斜視図と図５に示す施工状態の参考図で説明する。
第２の実施形態による閉塞栓１は、前記第１実施形態に示す閉塞栓本体９に反射部材を取り付けたものである。この実施形態による閉塞栓本体９は、前記タイプと同じように、蓋板２と支持突起４と嵌合溝３を有する軸筒５に、嵌合突部６と逆止片７を有する係合筒８が組み合わされた前記係合筒８に、防水性キャップ１１を組み合わせた閉塞栓１の前記蓋板２面に、所定の高さの半球体による立体反射部材１４を取り付けて成る閉塞栓１を構成する。【００２０】  第２の実施形態による閉塞栓１は、閉塞栓本体９は前記第１実施形態と同じであるが、蓋板２面に半球又はドーム状の立体反射部材１４を取り付けているので、支承跡穴１３に取り付けた際は壁面から一定の高さ突出するとともに、半球の全面が反射部材であるため、正面はもとより左右いずれの方向からの光も反射し、且つ、視認することも容易な反射機能を有する閉塞１となる。【００２１】  さらに、立体反射部材のその他の実施形態を示す。
前記する反射部材１４は半球状で最も好ましいが、他の実施形態として、図６図に示すように四角形の５面が反射する立体反射部材１４でもよい。【００２２】  本考案における閉塞栓１は上記のような構成であるが、軸筒５に設ける支持突起４は４本であるが、それ以上の本数でも構わない。また第２の実施形態に示す立体反射部材１４は半球体や四角形であるが、一定の高さで正面や側面など異なる方向からでも反射するものであればよく、例えば、略三角錐や円錐状であってもよく、いずれも特に限定されるものではない。
【図面の簡単な説明】
【００２３】
【図１】本考案による第１の閉塞栓の実施形態を示す分解斜視図である。
【図２】第１の閉塞栓の実施形態を示すＡ−Ａ線拡大断面図である。
【図３】第１の閉塞栓の実施形態による施工例を示す参考図である。
【図４】第２の閉塞栓の実施形態を示す斜視図である。
【図５】第２の閉塞栓の施工例を示す参考図である。
【図６】立体反射部材の他の実施形態を示す斜視図である。
【符号の説明】
【００２４】１  閉塞栓
２  蓋板
３  嵌合溝
４  支持突起
５  軸筒
６  嵌合突部
７  逆止片
８  係合筒
９  閉塞栓本体
１０  セパレータ穴
１１  防水性キャップ
１２  セパレータ
１３  支承具跡穴
１４  立体反射部材
【図１】
0003130632.tif 000003
【図２】
0003130632.tif 000004
【図３】
0003130632.tif 000005
【図４】
0003130632.tif 000006
【図５】
0003130632.tif 000007
【図６】
0003130632.tif 000008